【手続補正書】
【提出日】平成15年12月4日(2003.12.4)
【手続補正１】
【補正対象書類名】明細書
【補正対象項目名】特許請求の範囲
【補正方法】変更
【補正の内容】
【特許請求の範囲】
【請求項１】
情報処理装置と無線で接続され、前記情報処理装置との間で制御データを含む各種データの授受を行う無線通信手段と、所定の有線通信回線を介して端末装置に接続され該端末装置との間で画像データの送受信を行う送受信手段と、前記情報処理装置との無線接続状態を前記各種データの授受を行う通常動作モードから所定の省電力モードに移行するモード移行手段と、前記所定の省電力モード時に装置状態を監視する監視手段と、該監視手段により監視されている装置状態が所定の状態変化をしたときは前記所定の省電力モードから前記通常動作モードに復帰する第１の無線通信復帰手段と、該第１の無線通信復帰手段により無線通信が復帰したときは前記無線通信手段により前記状態変化を前記情報処理装置に通知する第１の通知手段とを備え、
前記モード移行手段は、前記第１の通知手段による前記状態変化の通知の後は、前記通常動作モードから前記所定の省電力モードに移行することを特徴とする画像処理装置。
【請求項２】
前記無線通信手段は複数の情報処理装置との無線通信可能であり、前記複数の情報処理装置の内の一の情報処理装置から動作指示要求があったときは前記所定の省電力モードから前記通常動作モードに復帰する第２の無線通信復帰手段と、該第２の無線通信復帰手段により前記通常動作モードに復帰したときは前記一の情報処理装置からの動作指示要求を受け付ける動作指示要求受付手段と、該動作指示要求受付手段により動作指示要求を受け付けたときは前記状態変化を他の情報処理装置に通知する第２の通知手段とを有していることを特徴とする請求項１記載の画像処理装置。
【請求項３】
前記第２の通知手段による前記他の情報処理装置への前記状態変化の通知がなされた後に前記動作指示要求に対応する動作を実行する動作実行手段を備えていることを特徴とする請求項２記載の画像処理装置。
【請求項４】
前記第２の無線通信復帰手段は、所定の無線プロトコルに準拠していることを特徴とする請求項２又は請求項３記載の画像処理装置。
【請求項５】
前記動作指示要求は、前記情報処理装置から前記端末装置へのファクシミリ送信であることを特徴とする請求項２乃至請求項４のいずれかに記載の画像処理装置。
【請求項６】
前記動作指示要求は、前記画像読取機能で読み取られた画像データを前記情報処理装置に送信する要求であることを特徴とする請求項２乃至請求項４のいずれかに記載の画像処理装置。
【請求項７】
前記動作指示要求は、前記画像画像装置で受信した画像データの印刷指令要求であることを特徴とする請求項２乃至請求項４のいずれかに記載の画像処理装置。
【請求項８】
前記監視手段は、前記複数の情報処理装置の夫々の情報処理装置毎に関連付けて記憶する記憶手段を有し、該記憶手段の記憶内容に基づいて前記情報処理装置に通知すべきか否かを判断する判断手段を有していることを特徴とする請求項１乃至請求項７のいずれかに記載の画像処理装置。
【請求項９】
前記無線通信手段、前記モード移行手段、及び前記第１の無線通信復帰手段は、所定の無線プロトコルに準拠していることを特徴とする請求項１乃至請求項８のいずれかに記載の画像処理装置。
【請求項１０】
前記所定の無線プロトコルは、ブルーツース規格であり、前記所定の省電力モードは、ブルーツース規格のパークモード、スニフモード、又はホールドモードのいずれかであることを特徴とする請求項４乃至請求項９のいずれかに記載の画像処理装置。
【請求項１１】
前記所定の無線プロトコルは、ブルーツース規格であり、前記各種データの授受が可能な通常動作モードはブルーツース規格のアクティブモードであることを特徴とする請求項４乃至請求項１０のいずれかに記載の画像処理装置。
【請求項１２】
前記装置状態の状態情報には、前記端末装置からの画像受信情報を含むことを特徴とする請求項１乃至１１のいずれか１項に記載の画像処理装置。
【請求項１３】
画像データの読取指示を行う操作部を有し、前記装置状態の状態情報には、前記操作部からの画像読取指示情報を含むことを特徴とする請求項１乃至請求項１２のいずれかに記載の画像処理装置。
【請求項１４】
前記装置状態の状態情報には、セマフォ情報及びエラー情報を含むことを特徴とする請求項１乃至請求項１３のいずれかに記載の画像処理装置。
【請求項１５】
情報処理装置と画像処理装置とを無線で接続し、制御データを含む各種データの授受を行うと共に、前記画像処理装置を所定の有線通信回線を介して端末装置に接続し、該端末装置と前記画像処理装置との間で各種データの送受信を行う画像処理システムの制御方法であって、
前記画像処理装置が、情報処理装置との無線接続状態を前記各種データの授受を行う通常動作モードから所定の省電力モードに移行するモード移行ステップと、前記所定の省電力モード時に装置状態を監視する監視ステップと、前記監視されている装置状態が状態変化をしたときは前記所定の省電力モードから前記通常動作モードに復帰する第１の無線通信復帰ステップと、該第１の無線通信復帰ステップで無線通信が復帰したときは前記状態変化情報を前記情報処理装置に通知する第１の通知ステップとを含み、
前記モード移行ステップは、前記通知手段による前記状態変化の通知の後は、前記通常動作モードから前記所定の省電力モードに移行することを特徴とする画像処理システムの制御方法。
【手続補正２】
【補正対象書類名】明細書
【補正対象項目名】００１０
【補正方法】変更
【補正の内容】
【００１０】
【課題を解決するための手段】
上記目的を達成するために本発明に係る画像処理装置は、情報処理装置と無線で接続され、前記情報処理装置との間で制御データを含む各種データの授受を行う無線通信手段と、所定の有線通信回線を介して端末装置に接続され該端末装置との間で画像データの送受信を行う送受信手段と、前記情報処理装置との無線接続状態を前記各種データの授受を行う通常動作モードから所定の省電力モードに移行するモード移行手段と、前記所定の省電力モード時に装置状態を監視する監視手段と、該監視手段により監視されている装置状態が所定の状態変化をしたときは前記所定の省電力モードから前記通常動作モードに復帰する第１の無線通信復帰手段と、該第１の無線通信復帰手段により無線通信が復帰したときは前記無線通信手段により前記状態変化を前記情報処理装置に通知する第１の通知手段とを備え、前記モード移行手段は、前記第１の通知手段による前記状態変化の通知の後は、前記通常動作モードから前記所定の省電力モードに移行することを特徴としている。


【手続補正３】
【補正対象書類名】明細書
【補正対象項目名】００１１
【補正方法】変更
【補正の内容】
【００１１】
また、本発明に係る画像処理装置の制御方法は、情報処理装置と画像処理装置とを無線で接続し、制御データを含む各種データの授受を行うと共に、前記画像処理装置を所定の有線通信回線を介して端末装置に接続し、該端末装置と前記画像処理装置との間で各種データの送受信を行う画像処理システムの制御方法であって、前記画像処理装置が、情報処理装置との無線接続状態を前記各種データの授受を行う通常動作モードから所定の省電力モードに移行するモード移行ステップと、前記所定の省電力モード時に装置状態を監視する監視ステップと、前記監視されている装置状態が状態変化をしたときは前記所定の省電力モードから前記通常動作モードに復帰する第１の無線通信復帰ステップと、該第１の無線通信復帰ステップで無線通信が復帰したときは前記状態変化情報を前記情報処理装置に通知する第１の通知ステップとを含み、前記モード移行ステップは、前記通知手段による前記状態変化の通知の後は、前記通常動作モードから前記所定の省電力モードに移行することを特徴としている。